(57)【要約】【課題】太陽電池の受光面積が大きくとれない場合であっても、デザイン性を向上させ、かつ、実使用にも十分に耐えることが可能な腕時計を提供する。【解決手段】直前の表示更新動作後の表示状態を保持するメモリ型表示パネル７１と、少なくとも表示更新動作時にメモリ型表示パネル７１に動作電力を供給するソーラパネル７０と、を備え、メモリ型表示パネル７１およびソーラパネル７０は、文字板あるいは表示パネルを構成するようにした。【選択図】図１
2007285748.tif 000002
【特許請求の範囲】
【請求項１】
直前の表示更新動作後の表示状態を保持するメモリ型表示部と、少なくとも前記表示更新動作時に前記メモリ型表示部に動作電力を供給する太陽電池と、を備え、
前記メモリ型表示部および前記太陽電池は、文字板あるいは表示パネルを構成することを特徴とする腕時計。
【請求項２】
請求項１記載の腕時計において、
前記メモリ型表示部の表示面および前記太陽電池の受光面は、略同一平面上に配置されていることを特徴とする腕時計。
【請求項３】
請求項１または請求項２記載の腕時計において、
前記太陽電池の受光面および前記メモリ型表示部の表示面に略平行な平面を仮定し、前記受光面および前記表示面の前記平面に対する正射影が重ならないように前記太陽電池および前記メモリ型表示部が配置されていることを特徴とする腕時計。
【請求項４】
請求項１ないし請求項３のいずれかに記載の腕時計において、
前記太陽電池の受光面あるいは前記メモリ型表示部の表示面は、一方が円形状を有し、他方がその周囲に配置された円環形状を有していることを特徴とする腕時計。
【請求項５】
請求項１ないし請求項４のいずれかに記載の腕時計において、
前記太陽電池と前記メモリ型表示部の境界部分を覆うことにより、前記境界部分をマスクするためのマスク部材が配置されていることを特徴とする腕時計。
【請求項６】
請求項１ないし５のいずれかに記載の腕時計において、
前記太陽電池と前記メモリ型表示部とは、モジュールとして一体に構成されたことを特徴とする腕時計。
【請求項７】
請求項１ないし６のいずれかに記載の腕時計において、
前記メモリ型表示部は、カレンダー情報あるいはワールドタイム情報の少なくともいずれか一方を表示することを特徴とする腕時計。
【請求項８】
請求項１ないし７のいずれかに記載の腕時計において、
外部から情報電波を受信する電波受信部を備え、
前記メモリ型表示部は、受信した前記情報電波に含まれる情報に基づいて表示を行うことを特徴とする記載の腕時計。
【請求項９】
請求項８記載の腕時計において、
前記情報電波に含まれる情報は、画像情報であり、
前記メモリ型表示部は、前記画像情報に対応する画像を表示することを特徴とする腕時計。
【請求項１０】
請求項８記載の腕時計において、
前記情報電波に含まれる情報は、時刻修正情報であり、
前記太陽電池の発電量が所定の時刻修正基準以下の場合に、前記時刻修正情報を取得するための時刻修正情報取得動作が禁止されることを特徴とする腕時計。
【請求項１１】
請求項１ないし１０のいずれかに記載の腕時計において、
前記太陽電池の受光面および前記メモリ型表示部の表示面の正面側に加飾板を配置し、
前記加飾板は、前記受光面に対応する位置には装飾が施され、前記表示面に対応する位置は開口が形成され、あるいは、透明部材で形成されていることを特徴とする腕時計。
【請求項１２】
請求項１ないし１１のいずれかに記載の腕時計において、
前記メモリ型表示部は、粒子移動型電子ペーパで構成されたことを特徴とする腕時計。
【請求項１３】
請求項１ないし１２のいずれかに記載の腕時計において、
前記メモリ型表示部は、コレステリック液晶層を有して構成されていることを特徴とする腕時計。
【請求項１４】
請求項１２または請求項１３に記載の腕時計において、
前記メモリ型表示部は、ＴＦＴアクティブマトリクス駆動方式により表示を行っていることを特徴とする腕時計。
【請求項１５】
請求項１ないし１４のいずれかに記載の腕時計において、
前記メモリ型表示部は、前記太陽電池の発電量が所定の表示基準量以下の場合に、表示状態の更新が禁止されることを特徴とする腕時計。
【請求項１６】
請求項１５記載の腕時計において、
前記メモリ型表示部は、前記太陽電池の発電量が所定の表示基準量を再び超えた場合に優先的に前記表示状態の更新を行うことを特徴とする腕時計。
【発明の詳細な説明】
【技術分野】
【０００１】
本発明は、腕時計に係り、特に太陽電池とメモリ型表示装置を備えた腕時計に関する。
【背景技術】
【０００２】
図１５は、文字板に形成された開口から液晶を表示する腕時計の正面図及び断面図である。
また、図１５に示すように、ケース５０２に収納された文字板５０５に形成された開口５００に液晶パネル５８１を配置し、背面からバックライト５８０で照らして液晶パネル５８１に日付を表示させる時計５０１が知られている。なお、図１５中、符号５０４は、時計モジュール本体である。
しかし、液晶パネル５８１はダイナミック駆動で駆動するため、消費電力が大きく、液晶パネル５８１を搭載したソーラ時計では、消費電力を抑えるために、表示エリアの狭い液晶パネル５８１が使用されている。このため、液晶パネル５８１は視野角が狭い上に、表示が奥まったようになり視認性が悪い。従って、情報表現の自由度が低いが、消費電力の低いセグメント方式を用いることが多かった。
【０００３】
さらに、太陽電池の発電効率は必ずしも高いものではなく、また、太陽電池の発電量は太陽電池の面積に比例しているため、液晶パネルを駆動するには、受光面積の大きな（たとえば、文字板の大きさ）太陽電池を使用する必要があった。
このような腕時計としては、例えば、太陽電池を文字板上にリング状に配置したソーラ時計があるが、太陽電池を露出した状態で用いると、装飾性が低くなるといった問題があった。
これを解決すべく、太陽電池付き腕時計において、太陽電池の上面を透過性部材の装飾板で覆い、デザイン性の向上を図った腕時計が知られている（例えば特許文献１参照）。
【特許文献１】特開平１０−２５３７７３号公報
【発明の開示】
【発明が解決しようとする課題】
【０００４】
ところで、従来においては、文字板に配置された太陽電池の表面を装飾板で覆い、デザイン性を向上させている。
しかしながら、太陽電池の発電能力は、受光光量および受光面の面積に比例するため、腕時計のような場合には、太陽電池の受光面積が小さくなってしまい、例えば、非透過形のディスプレイを太陽電池と平面的に並べて設けたりした場合には、電力が足りなくなってしまうことが考えられる。
そこで、本発明の目的は、表示装置の配置面積と太陽電池の配置面積とが装置サイズなどのとの関係から競合し、太陽電池の受光面積が大きくとれない場合であっても、デザイン性を向上させ、かつ、実使用にも十分に耐えることが可能な腕時計を提供することにある。
【課題を解決するための手段】
【０００５】
上記課題を解決するため、本発明は、直前の表示更新動作後の表示状態を保持するメモリ型表示部と、少なくとも前記表示更新動作時に前記メモリ型表示部に動作電力を供給する太陽電池と、を備え、前記メモリ型表示部および前記太陽電池は、文字板あるいは表示パネルを構成することを特徴としている。
従って腕時計のように文字板あるいは表示パネルの設置面積、ひいては、メモリ型表示部および太陽電池の設置面積が制限され、一方の設置面積を大きくすると、他方の設置面積が小さくなってしまうような場合であっても、実用性及びデザイン性を損なうことなく、十分に電力を供給することができ実使用にも十分に耐えることができる。
また、メモリ型表示部を用いることで消費電力量を抑えることができるので、小さい面積に設置された太陽電池と組み合わせることができる。そして、この太陽電池とメモリ型表示部との組み合わせによって、極めて優れた省エネルギー効果が得られる。
【０００６】
この場合において、前記メモリ型表示部の表示面および前記太陽電池の受光面は、略同一平面上に配置されているようにしてもよい。
また、前記太陽電池の受光面および前記メモリ型表示部の表示面に略平行な平面を仮定し、前記受光面および前記表示面の前記平面に対する正射影が重ならないように前記太陽電池および前記メモリ型表示部が配置されているようにしてもよい。
また、前記太陽電池の受光面あるいは前記メモリ型表示部の表示面は、一方が円形状を有し、他方がその周囲に配置された円環形状を有しているようにしてもよい。
さらに、前記太陽電池と前記メモリ型表示部の境界部分を覆うことにより、前記境界部分をマスクするためのマスク部材が配置されているようにしてもよい。
【０００７】
さらにまた、前記太陽電池と前記メモリ型表示部とは、モジュールとして一体に構成されていてもよい。
また、前記メモリ型表示部は、カレンダー情報あるいはワールドタイム情報の少なくともいずれか一方を表示するようにしてもよい。
さらに、外部から情報電波を受信する電波受信部を備え、前記メモリ型表示部は、受信した前記情報電波に含まれる情報に基づいて表示を行うようにしてもよい。
さらにまた、前記情報電波に含まれる情報は、画像情報であり、前記メモリ型表示部は、前記画像情報に対応する画像を表示するようにしてもよい。
【０００８】
また、前記情報電波に含まれる情報は、時刻修正情報であり、前記太陽電池の発電量が所定の時刻修正基準以下の場合に、前記時刻修正情報を取得するための時刻修正情報取得動作が禁止される、ひいては、時刻修正動作が禁止されるようにしてもよい。
さらに、前記太陽電池の受光面および前記メモリ型表示部の表示面の正面側に加飾板を配置し、前記加飾板は、前記受光面に対応する位置には装飾が施され、前記表示面に対応する位置は開口が形成され、あるいは、透明部材で形成されているようにしてもよい。
【０００９】
さらにまた、前記メモリ型表示部は、粒子移動型電子ペーパで構成されるようにしてもよい。
また、前記メモリ型表示部は、コレステリック液晶層を有して構成されるようにしてもよい。
さらに、前記メモリ型表示部は、ＴＦＴアクティブマトリクス駆動方式により表示を行うようにしてもよい。
さらに、前記メモリ型表示部は、前記太陽電池の発電量が所定の表示基準量以下の場合に、表示状態の更新が禁止されるようにしてもよい。
さらにまた、前記メモリ型表示部は、前記太陽電池の発電量が所定の表示基準量を再び超えた場合に優先的に前記表示状態の更新を行うようにしてもよい。
【発明の効果】
【００１０】
本発明によれば、腕時計のように文字板あるいは表示パネルの設置面積、ひいては、メモリ型表示部および太陽電池の設置面積が制限され、一方の設置面積を大きくすると、他方の設置面積が小さくなってしまうような場合であっても、実用性及びデザイン性を損なうことなく、十分に電力を供給することができ実使用にも十分に耐えることができる。
【発明を実施するための最良の形態】
【００１１】
次に図面を参照して、本発明の好適な実施の形態について説明する。
図１は、本発明の第１実施形態に係る腕時計１の正面図であり、図２はこの腕時計１の側断面図である。この腕時計１は、時計ケース（ケース）２と、この時計ケース２に連結された一対のバンド３とを備えている。時計ケース２は、ステンレス等の金属材又はプラスチック樹脂等の樹脂材で形成され、その内部に、図２に示すように、ムーブメント４と、加飾板５とを収容する貫通孔２Ａが形成されている。
この時計ケース２の貫通孔２Ａの一端側（時計正面側）には、間にパッキン１２を挟んで、ガラス製又は樹脂製の風防ガラス７がはめ込まれている。また、貫通孔２Ａの他端側（時計裏側）には、パッキン８を介して裏蓋９が螺合され、この裏蓋９及び風防ガラス７によって時計ケース２の内部の密封性が確保されている。
また、時計ケース２には、図１に示すように、操作子としての竜頭１０と操作ボタン１１とが設けられている。
【００１２】
ムーブメント４は、図３に示すように、秒針２１、分針２２及び時針２３が連結された運針機構２０を備え、この運針機構２０がこれらアナログ指針２１〜２３を回転駆動することにより、現在時刻を表示する時刻表示部として機能する。
詳述すると、この運針機構２０は、秒車２４、２番車２５及び筒車２６が互いに連動するように中間車２７、２８を介して連結された歯車輪列２９を有し、秒車２４の回転軸には、秒針２１の一端が取り付けられ、２番車２５の回転軸には、分針２２の一端が取り付けられ、また、筒車２６の回転軸には、時針２３の一端が取り付けられる。そして、秒車２４には、駆動モータ３０の駆動歯車３０Ａが噛み合い、この駆動モータ３０の回転によって秒車２４が回転駆動され、この回転が２番車２５及び筒車２６に伝達されて、秒針２１、分針２２及び時針２３の各々が回転駆動され、これら針２１〜２３によって時刻が表示される。
なお、図３においては、説明の便宜上、秒車２４、２番車２５及び筒車２６を離しているが、実際には、図１に示すように、これらは同軸上に配列されている。
【００１３】
加飾板５は、図２に示すように、上記ムーブメント４の時計正面側に配設されている。この加飾板５には、その中央に貫通孔５Ａが形成され、この貫通孔５Ａから、上記ムーブメント４の秒車２４、２番車２５及び筒車２６の各軸が突出し、各軸の先端には、それぞれ秒針２１、分針２２及び時針２３が取り付けられている。
【００１４】
図４は、腕時計１の電気的構成を示す図である。
発振回路５１は、振動子５２を発振させて、例えば３２ｋＨｚの基準クロック信号ＣＬ０を出力し、分周回路５３は、基準クロック信号ＣＬ１を例えば１Ｈｚまで分周し、１Ｈｚのクロック信号ＣＬ１を制御回路５５に出力する。モータ駆動回路５４は、制御回路５５の制御の下、駆動モータ３０に駆動信号ＳＫを供給することにより、運針機構２０を駆動させ、秒針２１、分針２２及び時針２３を回転駆動させる。
【００１５】
制御回路５５は、この腕時計１全体を中枢的に制御するものであり、ＣＰＵ、ＲＯＭ、ＲＡＭ等を有し、ＣＰＵがＲＯＭに記憶された制御プログラムを実行することにより、腕時計１の各部を制御する。この制御回路５５は、ソフトウェア処理或いはハードウェア（カウンタ等）により、上記分周回路５３から出力された所定周波数の信号を計数して暦（時刻を計時してよい）を計時する計時手段を備え、暦を表示させる場合は、暦情報を画像メモリ５６に書き込むことによって、表示駆動回路４０によりメモリ型表示パネル（メモリ型表示部）７１に暦情報を表示させる。
【００１６】
このメモリ型表示パネル７１は、電気泳動層を有する粒子移動型電子ペーパであり、図５に示すように、電気泳動層３５を挟んで対向配置された実装基板３６と透明基板３７とを備えている。実装基板３６には、その上面（透明基板３７側の面）にセグメント電極ＤＡが配置され、透明基板３７には、その下面（実装基板３６側の面）に、ＩＴＯ（Indium-Tin Oxide）蒸着等で形成された透明の共通電極ＤＢが設けられ、各電極ＤＡ、ＤＢには、表示駆動回路４０が接続されている。
【００１７】
電気泳動層３５は、複数のマイクロカプセル３８を有しており、これらマイクロカプセル３８には、電気泳動粒子３９が混合された電気泳動分散液４１が封入されている。この電気泳動粒子３９には、例えば、プラス極性に帯電した青粒子が適用され、電気泳動分散液４１が白色に着色されることにより、いわゆる１粒子系の電気泳動層が構成されている。
ここで、メモリ型表示パネルの動作について説明する。
図５は、メモリ型表示パネルの初期状態の説明図である。
初期状態において、メモリ型表示パネル７１は、表示駆動回路４０により共通電極ＤＢがプラス電位とされるとともに、セグメント電極ＤＡ１、ＤＡ２もプラス電位とされた場合には、共通電極ＤＢとセグメント電極ＤＡ１、ＤＡ２との間には電圧は印加されていないので、セグメント電極ＤＡ１、ＤＡ２側にある電気泳動粒子３９はそのままの状態であり、メモリ型表示パネル７１の表示面全体にわたって、白色表示がなされていることとなる。
図６は、メモリ型表示パネルの動作状態説明図（その１）である。
図５に示した初期状態において、表示駆動回路４０により共通電極ＤＢが０Ｖ電位（アース電位）とされるとともに、セグメント電極ＤＡ１も０Ｖ電位（アース電位）とされると、今度は、セグメント電極ＤＡ１に対応する領域のみ電圧が印加されないため、電気泳動粒子３９および電気泳動分散液４１は移動せず、セグメント電極ＤＡ１に対応する領域は、白を表示したままとなる。
一方、セグメント電極ＤＡ２にプラス電圧の駆動電圧が供給されているため、セグメント電極ＤＡ２から共通電極ＤＢに向かう電界が発生し、マイクロカプセル３８内のプラスに帯電した電気泳動粒子３９が共通電極ＤＢ側に移動し、これに伴って、白色の電気泳動分散液４１がセグメント電極ＤＡ側に移動する。この結果、セグメント電極ＤＡ２に対応する領域において、透明基板３７側から視認されるマイクロカプセル３８が青色を呈するため、セグメント電極ＤＡ２に対応する領域は青で表示されることとなる。
したがって、セグメント電極ＤＡ２に対応する領域が浮かび上がって表示されることとなる。
【００１８】
図７は、メモリ型表示パネルの動作状態説明図（その２）である。
図６に示した状態において、表示駆動回路４０により共通電極ＤＢが０Ｖ電位（アース電位）のまま、セグメント電極ＤＡ１がプラス電位とされると、セグメント電極ＤＡ１から共通電極ＤＢに向かう電界が発生し、マイクロカプセル３８内のプラスに帯電した電気泳動粒子３９が共通電極ＤＢ側に移動し、これに伴って、白色の電気泳動分散液４１がセグメント電極ＤＡ１側に移動する。この結果、セグメント電極ＤＡ１に対応する領域においても、透明基板３７側から視認されるマイクロカプセル３８が青色を呈するため、セグメント電極ＤＡ１に対応する領域は青で表示されることとなる。
一方、表示駆動回路４０によりセグメント電極ＤＡ２が０Ｖ電位（アース電位）とされると、
セグメント電極ＤＡ２に対応する領域には電圧が印加されないため、電気泳動粒子３９および電気泳動分散液４１は移動せず、セグメント電極ＤＡ２に対応する領域は、相変わらず、青を表示したままとなる。
したがって、セグメント電極ＤＡ１、ＤＡ２に対応する領域が青を表示することとなる。
以上の説明のように、共通電極ＤＢと、セグメント電極ＤＡ１あるいはセグメント電極ＤＡ２と、の間に電位差を生じさせない場合には、電気泳動粒子（青粒子）３２の移動が生じないため、セグメントの表示色は変化せずに以前の状態が維持される（メモリ状態）。
なお、本実施の形態では、表示駆動回路４０が昇圧回路を内蔵し、電源から供給される電圧（例えば３Ｖや１．５Ｖ）を昇圧して＋１２Ｖの電圧を生成して、この＋１２Ｖの電圧（プラス電位）、或いは、０Ｖの電圧を駆動電圧としてセグメント電極ＤＡ１、ＤＡ２及び共通電極ＤＢに印加している。
【００１９】
操作検出部５７は、操作ボタン１１の操作を検出して制御回路５５に通知するものであり、竜頭操作検出部５８は、竜頭１０の押し込み操作及び回転操作を検出し、検出結果を制御回路５５に通知するものである。ここで、本実施形態は、竜頭１０が０段引きの位置（最も時計ケース２側に押し込んだ位置（図１に示す位置））では、竜頭１０が空回りし、竜頭１０が１段引きの位置では、その位置での竜頭１０の回転量が竜頭操作検出部５８を介して制御回路５５に通知され、制御回路５５が、この回転量に応じて暦を修正する。この竜頭１０の回転量検出は、竜頭１０の回転を光学的或いは電気的に検知する方法（無接点方式、接点方式）を用いることが可能である。
【００２０】
また、竜頭１０が２段引きの位置では、竜頭１０の回転操作により運針機構２０の歯車輪列２９が駆動され、回転量に応じて時刻が修正される。この場合、竜頭１０により歯車輪列２９を直接駆動する手動方式に代えて、制御回路５５が、竜頭操作検出部５８から竜頭１０の回転量を取得し、この回転量に対応する分だけモータ駆動回路５４により駆動モータ３０を回転駆動させる電子修正方式を用いてもよい。
【００２１】
また、この腕時計１は、秒針２１、分針２２及び時針２３の位置を検出する針位置検出部５９を備えており、この針位置検出部５９により各アナログ指針２１〜２３の回転位置が制御回路５５に通知される。ここで、この針位置検出部５９の回転量検出は、回転検出器（ロータリーエンコーダ）を用いる方法（相対方式、絶対方式（時針２３の回転を８６４００又は４３２００分割、時針２３を２４分割又は１２分割、分針２２を６０分割、秒針２１を６０分割して回転位置を得る））、或いは、アナログ指針２１〜２３の回転位置を光学的或いは電気的に検知する方法（無接点方式、接点方式）が用いられる。
ここで、図４において、破線で囲まれた複数の回路（制御回路５５、発振回路５１、分周回路５３及びモータ駆動回路５４）は、同一のＩＣ（Integrated Circuit）に構成されている。また、画像メモリ５６及び表示駆動回路４０についても同一のＩＣに構成してもよく、また、画像メモリ５６、表示駆動回路４０及び制御回路５５を同一のＩＣに構成してもよい。
【００２２】
なお、針位置検出部５９は、回転検出器等を用いる構成に限らず、アナログ指針によって表示される時刻と同一の時刻を、内部カウンタを用いて計時（計数）し、この内部カウンタの値からアナログ指針の位置を検出する構成を採用してもよい。より具体的には、内部カウンタの時刻をアナログ指針によって表示される時刻と同一に設定するため、例えば竜頭１段目の状態で操作ボタン１１の操作（電子時刻修正操作）によりアナログ指針の位置を初期位置（例えば２４時）及び内部カウンタの値を上記初期位置に対応する初期値に設定し、その後、例えば竜頭２段目の状態で操作ボタン１１の操作（電子時刻修正操作）によりアナログ指針の位置を現在時刻の位置に設定し、この設定操作に従って内部カウンタの値をカウントアップ又はカウントダウンして現在時刻に対応する値にする。そして、竜頭０段目とされた時点から、内部カウンタのカウントアップと同期してアナログ指針を進めることにより、内部カウンタの時刻がアナログ指針の表示時刻と同一にすることができる。この構成によれば、検出器が不要となり、その分、部品点数の削減や腕時計１の小型化、薄型化等を図ることができる。
【００２３】
本実施形態における制御回路５５は、毎日午前零時に先だって、日付修正動作を実行し、時刻情報に基づいて、アナログ指針の示す時刻及びメモリ型表示パネル７１に表示する年月日及び曜日の更新を行う。
また、受信ＩＣ（電波受信部）６６は、無線電波を受信するための受信装置であり、アンテナ６７を介して、腕時計１の時刻修正動作を実行するための現在の時刻を含む時刻情報電波を毎日所定の時刻（例えば、午前２時あるいは午前４時）に取得する。受信ＩＣ６６は、取得した時刻情報電波を時刻情報に変換し、制御回路５５に出力する。これにより、制御回路５５は、時刻修正を行うこととなる。この場合において、時刻情報電波を受信する時刻は、消費電流や電気磁気的な影響の観点から日付修正動作とは、排他的に行われるように設定されている。
このとき、メモリ型表示パネル７１には、時刻情報電波を取得した際の、受信した電波の送信局、受信した電波の送信局の国、受信した電波の電界強度、電波受信を試みた回数（リトライ回数）に基づく受信の難易度、及び、時刻情報電波を受信してからの経過時間に基づく精度保証範囲等を表示する。
【００２４】
充電制御部６５は、制御回路５５、ソーラパネル（太陽電池）７０及び二次電池６３に接続されている。充電制御部６５は、ソーラパネル７０が発電した電力や二次電池６３に蓄電された電力を制御回路５５に供給したり、ソーラパネル７０が発電した電力を二次電池６３に供給して蓄電させたりする。
また、充電制御部６５は、充電状態を制御回路５５に送信している。これにより、制御回路５５は、例えば、ソーラパネル７０の発電量が十分でなく、二次電池６３に蓄電している電力を用いなければ腕時計１全体の電力をまかなえないと判断した場合に、メモリ型表示パネル７１の表示状態の更新を禁止したり、時刻修正動作を禁止したりすることとなる。
逆に、制御回路５５は、ソーラパネルの発電量が十分でない状態から、十分な発電量が得られる状態に復帰した場合には、メモリ型表示パネル７１の保持性の劣化を補うべく、直ちに（優先的に）表示状態の更新を行うようにしている。
【００２５】
ソーラパネル７０とメモリ型表示パネル７１とは、文字板を構成しており、加飾板５の背面側に配置されている。加飾板５は、図１に示すように、円形形状であり、中央を境に左側の半円部分（受光面７０Ａ側）は装飾が施されつつも光の透過性を有しており、右側の半円部分（表示面７１Ａ側）は加飾板５の背面側が視認可能に透明である。
【００２６】
ソーラパネル７０は半円形状であり、加飾板５上の装飾が施された左側の半円部分の裏側に配置されている。このソーラパネル７０は、例えば、発電効率の高い非透明でリジッドなアモルファスソーラパネルやフレキシブルなフィルムソーラパネルである。ソーラパネル７０は、図２に示すように、ムーブメント４の上端に形成された受け兼支持構造７７で支持されている。また、ソーラパネル７０の背面側には、二次電池６３がムーブメント４内に配置されている。
この受け兼支持構造７７のソーラパネル７０側は、筒車２６の外周に沿って形成された内側支持部７４と、貫通孔２Ａの内周に沿って形成された外側支持部７２とで構成されている。
【００２７】
一方、メモリ型表示パネル７１もソーラパネル７０と同様に半円形状であり、加飾板５上の透明に形成された右側の半円部分の裏側に配置されている。
このとき、ソーラパネル７０の受光面７０Ａおよびメモリ型表示パネル７１の表示面７１Ａに略平行な平面（以下、仮想平面という。）を仮定し、ソーラパネル７０の受光面７０Ａおよびメモリ型表示パネル７１の表示面７１Ａの仮想平面に対する正射影が重ならないように、ソーラパネル７０およびメモリ型表示パネル７１が配置されている。
このメモリ型表示パネル７１には、暦、日等のカレンダー情報や、アナログ指針２１〜２３が示す時刻に対応する地域名等のワールドタイム情報、受信ＩＣ６６を介して取得した画像情報に基づく画像、あらかじめＲＯＭなどに記憶した操作方法、図示しない内蔵の画像メモリあるいはメモリカード等に記録された画像等が表示される。
【００２８】
メモリ型表示パネル７１は、ムーブメント４の上端に形成された受け兼支持構造７７で支持されている。この受け兼支持構造７７のメモリ型表示パネル７１側はソーラパネル７０と同様に、筒車２６の外周に沿って形成された内側支持部７５と、貫通孔２Ａの内周に沿って形成された外側支持部７３とで構成されている。受け兼支持構造７７の正面の加飾板５上には、ソーラパネル７０とメモリ型表示パネル７１との間の境界を覆って隠す（マスクする）とともに、受け兼支持構造７７を隠すマスク７６が形成されている。
この結果、ユーザには、ソーラパネル７０とメモリ型表示パネル７１との間の境界が視認されなくなるため、デザイン性を損なうことがない。
【００２９】
ソーラパネル７０の受光面７０Ａとメモリ型表示パネル７１の表示面７１Ａとは、受け兼支持構造７７により、風防ガラス７及び加飾板５と略平行に略同一面上に配置されており、それぞれ導通部６０、６１で、ムーブメント４内に配置された回路基盤６２に電気的に接続されている。
【００３０】
ソーラパネル７０、メモリ型表示パネル７１及び導通部６０、６１は受け兼支持構造７７を介して時計ケース２で受けて支持されており、ソーラパネル７０と導通部６０との導通、及び、メモリ型表示パネル７１と導通部６１との導通がより確実になるとともに、腕時計１が、例えば、落下による衝撃を受けたときにソーラパネル７０及びメモリ型表示パネル７１の破損を防止することができる。さらには、受け兼支持構造７７は、それぞれの部品の間に入り込むことなく、それぞれの部品の端だけを引っ掛けて支持する構造のため、時計ケース２の厚みを薄くすることができる。
【００３１】
本実施形態によれば、直前の表示更新動作後の表示状態を保持するメモリ型表示パネル７１を備えるため、腕時計１の消費電力が少なく、上述したように、文字板の面積の、半分程度の面積の受光面しか有さないソーラパネル７０でも十分な電力を腕時計１全体に供給することができる。
また、ソーラパネル７０の受光面７０Ａとメモリ型表示パネル７１の表示面７１Ａとは、略同一面上に風防ガラス７に略並行配置されているため、風防ガラス７からの距離を左右で同じにすることができ、ユーザに不必要な違和感を与えることがない。このとき、ソーラパネル７０の方がメモリ型表示パネル７１よりも薄いため、厚みのある（二次）二次電池６３をソーラパネル７０の背面側に配置すれば、ムーブメント４の厚さをトータルで薄くすることができる。
【００３２】
そして、本実施形態では、メモリ型表示パネル７１とソーラパネル７０とを組み合わせて用いることで、極めて優れた省エネルギー効果を実現している。すなわち、メモリ型表示パネル７１は消費電力が小さいため、小さい面積のソーラパネル７０により発電される電力で、十分に駆動させることができる。従って、限られたスペースに設置されたソーラパネル７０を用いて、実用性に富む表示を行うことができる。このため、メモリ型表示パネル７１を組み合わせることで、ソーラパネル７０を用いることによる省エネルギー効果を、より有用なものとすることができる。
また、本実施形態によれば、文字板あるいは表示パネルを構成するソーラパネル７０とメモリ型表示パネル７１とで構成しているので、表示が奥まったような感じを与えることなく視認性が良い。
【００３３】
上記実施形態では、ソーラパネル７０とメモリ型表示パネル７１とを、別々の部品としたが、これに限定されず、ソーラパネル７０とメモリ型表示パネル７１とを一体に構成したモジュール構造としてもよい。この構成によると、部品点数の削減ができるとともに、組み立てが容易となる。
上記実施形態では、加飾板５のメモリ型表示パネル７１側を透明に形成したが、これに限定されず、開口が形成された構成であってもよい。
上記実施形態では、ソーラパネル７０の受光面７０Ａおよびメモリ型表示パネル７１の表示面７１Ａに略平行な平面（以下、仮想平面という。）を仮定し、ソーラパネル７０の受光面７０Ａおよびメモリ型表示パネル７１の表示面７１Ａの仮想平面に対する正射影が重ならないように、ソーラパネル７０およびメモリ型表示パネル７１を同一平面上に配置する場合について述べたが、リング形状に両者を配置したり、曲面状に両者を配置するように構成することも可能である。
【００３４】
図８は、変形例に係る腕時計の正面図である。
図９は、変形例の断面図である。
上記実施形態では、ソーラパネル７０とメモリ型表示パネル７１とを左右に分けて配置しているが、これに限定されず、例えば、図８及び図９に示すように、加飾板５と同心円の円環状（リング状あるいはドーナツ状）の表示パネル１７１を配置し、その内側にさらに同心円で円形状のソーラパネル１７０を配置してもよい。この変形例によっても上記実施形態と同様の効果が得られる。
また、逆に加飾板５と同心円の円環状（リング状あるいはドーナツ状）のソーラパネルを配置し、その内側にさらに同心円で円形状の表示パネルを配置することも可能である。この場合に、ソーラパネル７０を構成する各セルの間の隙間に対応する位置に、いわゆる、アワーマーカー（hour-marker）を配置できるセル形状とすることも可能である。
【００３５】
図１０は、別の変形例に係る腕時計の正面図である。
図１１は、別の変形例の電気的構成を示すブロック図である。
上記実施形態では、アナログ指針２１〜２３、メモリ型表示パネル７１及びソーラパネル７０を有する腕時計に本発明を適用しているが、これに限定されず、例えば、図１０及び図１１に示すように、アナログ指針および文字板を有さず、時計ケース２０２上にソーラパネル２７０及び表示パネル２７１のみを有するいわゆるディジタル腕時計に本発明を適用してもよい。この変形例によっても上記実施形態と同様の効果が得られる。
上記実施形態では、メモリ型表示パネル２７１に日時を表示しているが、これに限定されず、例えば、ディジタル温度計、デジタルカレンダー、または、デジタルスケジュール等を表示してもよい。
【００３６】
図１２は、他のメモリ型表示パネルの断面図である。
上記実施形態では、メモリ型表示パネル７１、１７１、２７１として、１粒子系の電気泳動層を有する場合について説明したが、図１２に示すように、２粒子系の電気泳動層を有する場合についても同様に適用が可能である。
電気泳動層３５Ａは、図１２に示すように、複数のマイクロカプセル３８Ａを備えており、これらマイクロカプセル３８Ａには、電気泳動分散液４１Ａが封入され、この電気泳動分散液４１Ａには、黒色の電気泳動粒子（以下、黒粒子という）３９Ａと、白色の電気泳動粒子（以下、白粒子という）３９Ｂとが混合されて、二色の粉末流体方式の電気泳動層を構成している。これら黒粒子３９Ａ及び白粒子３９Ｂは互いに異なる極性に帯電しており、本実施形態では、黒粒子３９Ａがプラスに帯電し、白粒子３９Ｂがマイナスに帯電している。
この構成により、表示駆動回路により共通電極ＤＢが０Ｖ電位（アース電位）に保持されるとともに、セグメント電極ＤＡ２がプラス電位とされた場合、セグメント電極ＤＡ２から共通電極ＤＢに向かう電界が発生し、セグメント電極ＤＡ２に対応する領域に存在するマイクロカプセル３１内のプラスに帯電した黒粒子３９Ａが共通電極２５側に移動し、マイナスに帯電した白粒子３９Ｂがセグメント電極ＤＡ２側に移動する。
このとき、セグメント電極ＤＡ１は、０Ｖ電位（アース電位）である場合には、共通電極ＤＢとセグメント電極ＤＡ１との間に電位差が生じない場合には、電気泳動粒子（黒粒子３９Ａ、白粒子３９Ｂ）の移動が生じないため、セグメントの表示色は変化せずに以前の状態が維持される。
他の動作状態についても、上述した実施形態と同様である。
上記実施形態では、メモリ型表示パネル７１、１７１、２７１は粒子移動型電子ペーパで構成していたが、これに限定されず、コレステリック液晶等で構成された表示パネルであってもよい。
また、上記実施形態では、セグメントディスプレイの場合について説明したが、ＴＦＴアクティブマトリクス駆動方式のディスプレイであっても同様に適用が可能である。この場合には、図５に示したメモリ型表示パネル７１の実装基板３６の上面側に設けたセグメント電極ＤＡ１、ＤＡ２に代えて、実装基板３６の上面に、ＴＦＴ（Thin Film Transistor）アクティブマトリクス回路として構成されたトランジスタ層を配置し、さらにその上面側にドットマトリクス電極を配置するように構成すればよい。
【００３７】
また、上記実施形態では、腕時計に本発明を適用しているが、これに限定されず、電卓、表示装置、コンピュータ（ＰＤＡ等の携帯型コンピュータを含む）、携帯電話機、携帯型オーディオ装置等の腕装着型電子機器に広く適用が可能である。
図１３は、時計機能を備えたソーラ電卓に本発明を適用した場合の正面図である。図１４は、ソーラ電卓の断面図である。
ソーラ電卓３０１の電卓ケース３０２の正面には、ソーラパネル３７０、表示パネル３７１及び操作ボタン３００を備えている。
表示パネル３７１は、表示パネル３７１への電力の供給が停止した場合であっても、表示状態を保持する。なお、この場合には、内部的に計時動作は行っている。
これにより、例えばソーラパネル３７０が光を受光できないポケットや鞄等に収納した場合であっても、計算結果を残しておくことが可能となり、表示内容をメモ等に書き写す必要がなく、時計として用いるばかりでなく、メモ代わりの電卓として利便性が格段に向上する。
【００３８】
上記実施形態では、長距離無線を用いて時刻修正を行っているが、これに限定されず、例えば、ＧＰＳ、天気情報、ブルートゥース等の短距離無線もしくは赤外線通信等を用いて時刻修正や、各種情報の受信を行い、時刻修正あるいは情報の表示を行うことも可能である。
以上の説明では、長距離無線を用いたソーラパネルを有する時計（いわゆる、ソーラ電波時計）について説明したが、単にソーラパネルを有する時計（いわゆる、ソーラ時計）について本発明が適用できることはもちろんである。
【図面の簡単な説明】
【００３９】
【図１】本発明の実施形態に係る腕時計の正面図である。
【図２】腕時計の断面図である。
【図３】腕時計の運針機構を示す図である。
【図４】腕時計の電気的構成を示すブロック図である。
【図５】メモリ型表示パネルの初期状態の説明図である。
【図６】メモリ型表示パネルの動作状態説明図（その１）である。
【図７】メモリ型表示パネルの動作状態説明図（その２）である。
【図８】変形例に係る腕時計の正面図である。
【図９】変形例の断面図である。
【図１０】別の変形例に係る腕時計の正面図である。
【図１１】別の変形例の電気的構成を示すブロック図である。
【図１２】他のメモリ型表示パネルの断面図である。
【図１３】変形例に係る電卓の正面図である。
【図１４】変形例に係る電卓の電気的構成を示すブロック図である。
【図１５】文字板に形成された開口から液晶を表示する腕時計の正面図及び断面図である。
【符号の説明】
【００４０】
１、２０１、３０１…腕時計、２、２０２、３０２…ケース、５…加飾板、６６…電波受信部、７０、１７０、２７０、３７０…太陽電池、７０Ａ、１７０Ａ…受光面、７１、１７１、２７１、３７１…メモリ型表示部、７１Ａ、１７１Ａ…表示面、７６…マスク（マスク部材）。
【図１】
2007285748.tif 000003
【図２】
2007285748.tif 000004
【図３】
2007285748.tif 000005
【図４】
2007285748.tif 000006
【図５】
2007285748.tif 000007
【図６】
2007285748.tif 000008
【図７】
2007285748.tif 000009
【図８】
2007285748.tif 000010
【図９】
2007285748.tif 000011
【図１０】
2007285748.tif 000012
【図１１】
2007285748.tif 000013
【図１２】
2007285748.tif 000014
【図１３】
2007285748.tif 000015
【図１４】
2007285748.tif 000016
【図１５】
2007285748.tif 000017